(57)【要約】【課題】前腕部等を確実に結束することができ、且つ、取付け、再調整、及び取外しを片手で簡便に行うことができるバンドの提供を課題とする。【解決手段】バンド１は、環状のバックル５と、バックル５と接続された帯状のベース体と、ベース体から延設された帯状の内側バンド７と、ベース体から内側バンド７と分岐して延設された帯状の外側バンド８と、外側バンド８に対面する内側バンド７の外面７ａに形成された第一フック部１０と、内側バンド７の内面７ｂに形成された第一ループ部１１と、外側バンド８の外面８ａの先端に形成され、第一フック部１０と係合可能な第二ループ部１２と、外側バンド８の外面８ａ及びベース体の外面６ｃに形成され、一端１３ａが第二ループ部１２と接続し、他端１３ｂがバックル５から離間した位置に設けられるとともに、第一ループ部１１と係合可能な第二フック部１３とを具備する。【選択図】図１
2014162509.tif 000002
【特許請求の範囲】
【請求項１】
環状のバックルと、
前記バックルと一端が接続された帯状のベース体と、
前記ベース体の他端から延設され、前記バックルに挿通される幅で形成された帯状の内側バンドと、
前記ベース体の他端から前記内側バンドと分岐して延設され、前記バックルに挿通される幅で形成された帯状の外側バンドと、
前記外側バンドに対面する内側バンドの外面に形成された第一フック部と、
前記内側バンドの内面に形成された第一ループ部と、
前記内側バンドに対面する外側バンドの内面とは反対側の外側バンドの外面の先端部分に形成され、前記第一フック部と係合可能な第二ループ部と、
前記外側バンドの外面及び前記外側バンドの外面と連続するベース体の外面に形成され、前記第二ループ部と前記バックルとの間で、且つ前記バックルから離間した位置に設けられるとともに、前記第一ループ部と係合可能な第二フック部と
を具備することを特徴とするバンド。
【請求項２】
前記バックルに取設された取外用タグをさらに具備することを特徴とする請求項１に記載のバンド。
【請求項３】
前記第一ループ部、前記ベース体、前記内側バンド、及び前記外側バンドの少なくとも一部に取付けられたセンサをさらに具備することを特徴とする請求項１または請求項２に記載のバンド。
【発明の詳細な説明】
【技術分野】
【０００１】
本発明は、バンドに関するものであり、特に電動義手を使用するためのセンサを前腕部等に装着するために用いられるセンサ装着用バンド、或いは物品を固定したり、縛ったりする際に使用する物品結束用のバンドに関するものである。
【背景技術】
【０００２】
事故や病気などによって失われた前腕部や上腕部の機能を復元するため種々のタイプの義手が開発され、上肢切断者によって使用されている。例えば、筋肉が収縮する際に発生する微弱な電流（表面筋電位）の変化をセンサによって検出し、検出された当該電流に基づいてモータを駆動して把持動作等を復元可能な「筋電義手」が知られている。さらに、本願発明者によって、前腕部の回内・回外動作、肘の屈曲・伸展動作などの比較的単純な動作に基づいて前腕部等の形状変化をセンサで検出し、検出された形状変化を電気信号に変換して義手による把持動作等を復元可能な「電動義手」の開発も進められている。
【０００３】
上述の筋電義手や電動義手を使用する場合、表面筋電位や形状変化を検出するために、一または複数のセンサを上肢切断者の前腕部や上腕部などの予め定められた位置に取付ける必要がある。このとき、家庭用の血圧計の腕帯（カフ）に使用されるような広幅の帯状のバンドが用いられることがある。このバンドは、環状のバックルと、バックルと接続されるとともに当該バックルに挿通可能な幅で形成された帯状のバンドと、バンドの内面に沿って設けられたセンサとを具備し、バンドの外面の先端近傍に設けられた面ファスナーのフック部（オス面）またはループ部（メス面）と、外面の中間付近に設けられた面ファスナーのループ部またはフック部とを有している。そして、帯状のバンドの内面を上腕部等の周囲の沿うように当接させながら、バンドの先端をバックルに通し、さらにバックルで折返すことにより、上腕部等の周囲をバンドによって強く締め付けるように密着させる。その後、先端のフック部またはループ部と、中間付近に形成されたループ部またはフック部とを係合させることにより、バンドによる密着状態が維持される。その結果、帯状のバンドを上腕部等に装着することができる。
【０００４】
しかしながら、上記のようなバンドを用いた計測部の場合、上腕部等の予め決められた場所にセンサの位置を合わせながら、一対のフック部及びループ部を係合させる作業を同時に行う必要があり、センサの位置がずれるなど作業が煩雑となることがあった。特に、上記作業を自分で片手のみで行う場合、さらに困難となることがあった。また、装着されたバンドを上腕部から取外す場合も、同様に片手のみで行わなければならず、装着及び取外しの作業に多くの時間が必要であった。また、一度装着した後でもセンサ位置を再調整する作業が容易でなかった。加えて、一対のフック部及びループ部の構成のみによって、上腕部等に計測部を固定するため、長時間の使用によってバンドの係合が緩み、センサの位置がずれるなどの不具合が発生し、電流や形状変化などを安定的に検出することができない場合があった。さらに、上記の場合、薄片状のセンサが折曲がって装着されることもあり、同様に安定的な検出が行えないことがあった。
【０００５】
一方、上述した電動義手等のセンサなどの装着を想定したバンドの使用以外にも、例えば、建築用の資材を縛ったり、日用品等の物品を搬送などのために梱包したりするなど、日常生活において物品を結束する機会は多く存在している。この場合でも、片手が塞がった状態でも物品を簡便に、且つ確実に結束することができるバンドが要請されている。
【発明の概要】
【発明が解決しようとする課題】
【０００６】
そこで、本発明は、上記実情に鑑み、センサ等に折り目をつけることなく、前腕部等を確実に結束することができ、且つ、取付け、再調整、及び取外しを片手で簡便に行うことができるバンドの提供を課題とするものである。
【課題を解決するための手段】
【０００７】
上記の課題を解決するため、本発明のバンドは、「環状のバックルと、前記バックルと一端が接続された帯状のベース体と、前記ベース体の他端から延設され、前記バックルに挿通される幅で形成された帯状の内側バンドと、前記ベース体の他端から前記内側バンドと分岐して延設され、前記バックルに挿通される幅で形成された帯状の外側バンドと、前記外側バンドに対面する内側バンドの外面に形成された第一フック部と、前記内側バンドの内面に形成された第一ループ部と、前記内側バンドに対面する外側バンドの内面とは反対側の外側バンドの外面の先端部分に形成され、前記第一フック部と係合可能な第二ループ部と、前記外側バンドの外面及び前記外側バンドの外面と連続するベース体の外面に形成され、前記第二ループ部と前記バックルとの間で、且つ前記バックルから離間した位置に設けられるとともに、前記第一ループ部と係合可能な第二フック部と」を具備している。
【０００８】
バックルとは、例えば、角環状、或いは長円環状の開口を有する環状部材であり、後述する帯状の内側バンド及び外側バンドの幅よりも広い幅の開口を有し、挿通可能なものである。なお、バックルを形成する材料は、特に限定されるものではなく、例えば、硬質のプラスチックや金属等を用いることができる。
【０００９】
ベース体、内側バンド、及び外側バンドは、それぞれ布帛或いは樹脂等の柔軟性を有する材料によって形成された帯状部材であり、ベース体の一端がバックルと接続し、ベース体の他端から内側バンド及び外側バンドがそれぞれ分岐して延設されている。なお、ベース帯、内側バンド、及び外側バンドを構成する帯状部材は、例えば、応力によって伸張可能なゴムのような弾性部材で構成されているものであっても構わない。また、内側バンド及び外側バンドは、それぞれベース体と別体として構成されたものであっても、或いは、ベース体及び内側バンド若しくはベース体及び外側バンドをそれぞれ一体に構成したものであっても構わない。例えば、ベース体と外側バンドとを一体に構成した場合、ベース体及び外側バンドからなる帯状部材の途中に内側バンドの端を取付けることにより、上記の本発明のバンドの構成とすることができる。このとき、内側バンドの取付けられた箇所が、ベース体及び外側バンドの境界となり、ベース体の他端となる。また、内側バンド及びベース体の一部と、外側バンド及びベース体の一部とをそれぞれ一体に構成し、一対のベース体の一部同士を互いに接着することにより、バンドを形成するものであってもよい。このとき、ベース体の一部同士が接着されている部分の端部がベース体の他端となる。
【００１０】
内側バンドの外面に形成された第一フック部は、面ファスナーにおけるフック形状に起毛したフック部（オス面）に相当するものであり、一方、内側バンドの内面に形成された第一ループ部は、面ファスナーにおけるループ形状に密集して起毛したループ部（メス面）に相当するものである。なお、外側バンドの外面にそれぞれ形成された第二ループ部及び第二フック部は、前述の第一ループ部及び第一フック部と同様の構成であるため説明を省略する。そして、第一ループ部と第二フック部とを係合させることにより、内側バンドの内面と外側バンドの外面若しくはベース体の外面とが密着し、係る状態を維持することができる。一方、第一フック部と第二ループ部とを係合させることにより、内側バンドの外面と外側バンドの外面の先端部分とが密着し、係る状態を維持することができる。すなわち、本発明のバンドは、フック部及びループ部による係合を二箇所で行うことができる。なお、第一ループ部及び第二フック部、または、第二ループ部及び第一フック部をそれぞれ引き離す方向に力を加えることにより、上記係合による密着状態が解除され、双方を剥離することができる。なお、フック部及びループ部による係合及び係合の解除は繰り返し行うことができる。一般に、フック部は、硬質のプラスチック樹脂が棘のようにフック状に起毛して形成されたものであり、皮膚と接すると痛みを感じることがある。これに対し、ループ部は、軟質の繊維がループ状に密集し起毛して形成されたものである。したがって、本発明の構成で示したように、内側バンドの内面及びベース体の内面側に第一ループ部を設けることにより、前腕部等の皮膚と係る第一ループ部が接触することになる。そのため、本発明のバンドを取付けた場合であっても、痛みを感じることが少ない。その結果、前腕部等に長時間に亘って取付けが可能となる。
【００１１】
したがって、本発明のバンドによれば、帯状のベース体、内側バンド、及び外側バンドを用いることにより、前腕部等の結束対象を安定して結束することができる。特に、各面に設けられたバックルに挿通された内側バンドの内面に形成された第一ループ部及び第二フック部、及び、バックルに挿通された外側バンドの外面に形成された第二ループ部及び内側バンドの外面に形成された第一フック部のそれぞれの係合により、結束対象に対するバンドの装着を確実なものとすることができる。
【００１２】
さらに、本発明のバンドは、上記構成に加え、「前記バックルに取設された取外用タグ」を具備するものであっても構わない。
【００１３】
したがって、本発明のバンドによれば、取外用タグによって、バンドを結束対象から取外す際の作業が容易となる。ここで、取外用タグは、上述した内側バンド及び外側バンドの挿通を阻害しない位置に設けられ、例えば、角片状のシートなどによって構成される。これにより、取外用タグを用いて取外しを行うことができる。
【００１４】
さらに、本発明のバンドは、上記構成に加え、「前記第一ループ部、前記ベース体、前記内側バンド、及び前記外側バンドの少なくとも一部に取付けられたセンサ」を具備するものであっても構わない。
【００１５】
したがって、本発明のバンドによれば、バンドを電動義手等を制御するためのセンサの装着に用いることができる。ここで、センサの取付けの例について説明すると、例えば、第一ループ部及びベース体の内面に沿って薄片状のセンサープレートを貼着したもの、ベース体、内側バンド、外側バンドのそれぞれの内面または外面に貼着したもの、或いはベース体、内側バンド、外側バンドの内部に埋設したものなどが挙げられる。また、センサも薄片状のものに限定されるものではなく、種々の形状のセンサを使用することができる。
【発明の効果】
【００１６】
本発明の効果として、バンドは、前腕部等を確実に結束することができ、且つ、取付け及び取外しを片手で簡便に行うことができる。
【図面の簡単な説明】
【００１７】
【図１】本実施形態のバンドの斜視図である。
【図２】図１の紙面奥方向から見たバンドの斜視図である。
【図３】バンドの説明図である。
【図４】バンドの取付けの手順を示す説明図である。
【図５】バンドの取外しの手順を示す説明図である。
【発明を実施するための形態】
【００１８】
以下、本発明の一実施形態であるバンド１について、図１乃至図５に基づいて説明する。ここで、本実施形態のバンド１は、電動義手を使用する上肢切断者の前腕部２に取付けられ、回内・回外動作における前腕部２の形状変化を検出するためのセンサ３を装着するためのものである。したがって、本実施形態のバンド１は、その構成にセンサ３を含んでいる。
【００１９】
本実施形態のバンド１は、図１乃至図３に示すように、長円状の開口４を有する環状のバックル５と、バックル５と一端６ａが接続された帯状のベース体６と、ベース体６の他端６ｂから延設され、バックル５の開口４に挿通可能な幅で形成された内側バンド７と、ベース体６の他端６ｂから内側バンド７と分岐して延設され、バックル５の開口４に挿通な幅で形成されるとともに、内側バンド７よりも長尺の帯状の外側バンド８と、ベース体６の一端６ａと対向する位置でバックル５に取設された角片状の取外用タグ９と、内側バンド７の内面７ａ及びベース体６の内面６ｄの一部に沿って貼着された長片状のセンサ３とを具備している。
【００２０】
ここで、本実施形態のバンド１におけるベース体６は、内側バンド７と一部が一体に形成されているとともに、外側バンド８と一部が一体に形成されている。具体的に説明すると、図１及び図２に示すように、内側バンド７と一体に形成されたベース片６ｅと外側バンド８と一体に形成されたベース片６ｆの一部が互いに重なり合って接着されている。そして、ベース片６ｆの一端がベース体６の一端６ａとしてバックル５と接続されている。したがって、図１乃至図３に示すように、ベース体６はバックル５の近傍では、上記ベース片６ｆからなる一層で形成され、バックル５から離間した位置ではベース片６ｅ及びベース片６ｆが互いに重なり合った二層で形成されている。なお、内側バンド７とベース片６ｅの境界及び外側バンド８及びベース片６ｆの境界が、ベース体６の他端６ｂに相当し、係る位置から内側バンド７及び外側バンド８がそれぞれ分岐している。ここで、ベース体６、内側バンド７、及び外側バンド８は、それぞれ可撓性を有する帯状の樹脂材料によって構成され、同一の幅で形成されている。係る構成により、ベース体６、内側バンド７、及び外側バンド８は、前腕部２に沿って曲折することができ、前腕部２を結束し、センサ３を装着することができる。また、外側バンド８はバックル５を介して挿通方向を反転させ、折返すことができる（詳細は後述する）。また、バックル５は樹脂材料によって形成されている。
【００２１】
本実施形態のバンド１は、その他の構成として、外側バンド８に対面する内側バンド７の外面７ｂに形成された面ファスナーの第一フック部１０と、当該外面７ｂの反対側の内側バンド７の内面７ａ及び内面７ａと連続するベース片６ｅの内面（ベース体６の内面６ｄの一部）に形成された面ファスナーの第一ループ部１１と、内側バンド７の外面７ｂに対面する外側バンド８の内面８ｂの反対側に位置する外側バンド８の外面８ａの先端近傍に形成され、第一フック部１０と係合可能な面ファスナーの第二ループ部１２と、外側バンド８の外面８ａ及び当該外面８ａと連続するベース片６ｆの外面（ベース体６の外面６ｃの一部）に形成され、一端１３ａが第二ループ部１２と接続し他端１３ｂがバックルから離間した位置に設けられるとともに、第一ループ部１１と係合可能な面ファスナーの第二フック部１３とを具備している。
【００２２】
係る構成を採用することにより、第一ループ部１１及び第二フック部１３を係合させることで内側バンド７の内面７ａと外側バンド８の外面８ａまたはベース体６の外面６ｃとを密着させ、当該密着状態を維持することができる。さらに、第一フック部１０及び第二ループ部１２を係合させると外側バンド８の外面８ａの先端近傍と内側バンド７の外面７ｂとを密着させ、当該密着状態を維持することができる。このとき、第二フック部１３の他端１３ｂがバックル５から離間した位置に設けられることにより、当該他端１３ｂ及びバックル５の間のベース体６の外面６ｃには、面ファスナーのフック部及びループ部のいずれであっても係合することのない、所謂「遊び」の部分に相当する非係合部１４が形成される。なお、外側バンド８の内面８ｂ、及びバックル５に近接するベース体６の内面６ｄは、上記非係合部１４と同様に、面ファスナーのフック部及びループ部のいずれであっても係合しない面で形成されている。
【００２３】
一方、本実施形態のバンド１におけるセンサ３は、前腕部２の回内・回外動作に基づく前腕部２の形状変化を検出するための形状検知センサであり、内側バンド７の内面７ａ及びベース体６（ベース片６ｅ）の内面６ｄの一部に沿って、薄片状のセンサプレートが第一ループ部１１に重ねられるようにして貼着されている。なお、図１等において、当該センサ３と接続した電極・配線等の構成については図示を省略している。
【００２４】
次に、本実施形態のバンド１を用いた前腕部２に対する取付作業、換言すれば、センサ３の前腕部２への装着作業の具体例について、主に図４に基づいて説明する。始めに、内側バンド７の内面７ａ側及びベース体６の内面６ｄ側が内側になるように前腕部２の周囲にバンド１を向け、内側バンド７の先端及び外側バンド８の先端をそれぞれバックル５の開口４に挿通する（図４（ａ）参照）。なお、バックル５の開口４は、内側バンド７及び外側バンド８を重ねた状態で挿通可能な大きさで形成されている。ここで、外側バンド８の内面８ｂには、前述のように面ファスナーと係合可能な面が形成されていない。そのため、図４（ａ）のように内側バンド７及び外側バンド８が互いに重なった状態であっても、両者が係合することがない。内側バンド７及び外側バンド８をバックル５に通すことにより、前腕部２の周りをバンド１によって緩く囲んだ状態にすることができる。
【００２５】
次に、内側バンド７をさらに挿通方向に引っ張り、前腕部２の周囲に沿うように内側バンド７及びベース体６の長さを調整した後、内側バンド７の内面７ａを外側バンド８の外面８ａ（若しくはベース体６の外面６ｃ）に密着させる（図４（ｂ）参照）。ここで、内側バンド７の内面７ａには面ファスナーの第一ループ部１１が形成され、一方、外側バンド８の外面（若しくはベース体６の外面６ｃ）には第二フック部１３が形成されている。そのため、第一ループ部１１及び第二フック部１３が係合し、内側バンド７及び外側バンド８（またはベース体６）が密着する。なお、ベース体６の外面６ｃには、バックル５の近傍にフック部及びループ部のいずれとも係合しない非係合部１４が設けられている。そこで、図４（ｂ）に示すように、ベース体６と内側バンド７との間に空隙１５を形成するように、膨らみを持たせた状態で第一ループ部１１及び第二フック部１３を係合させるようにしてもよい。すなわち、この状態における第一ループ部１１及び第二フック部１３の係合は、いわば「仮止め」のようなものであり、その後にセンサ３の位置等の調整を図るため、若干緩めに固定するものであってもよい。なお、内側バンド７の内面７ａ及びベース体６の内面６ｄの一部には第一ループ部１１が形成されている。さらに、ベース体６の内面６ｄの残りは、フック部及びループ部のいずれであっても係合しない面で形成されている。そのため、前腕部２と直に接した状態で巻付けられたとしても、ループ部のような棘のある硬質の面ではないため、前腕部２等に痛みを感じることがなく、上肢切断者等は長時間に亘って係るバンド１の取付けを行うことができる。
【００２６】
その後、外側バンド８を挿通方向（図４（ｂ）における矢印参照）にさらに引っ張り、内側バンド７に対する外側バンド８の緩みを解消し、内側バンド７及び外側バンド８が互いに重なり合った状態とする（図４（ｃ）参照）。係る状態で、空隙１５によって緩んだ内側ベルト７及びベース体６を前腕部２の周囲に沿って回し、センサ３の位置を調整することができる。なお、必要に応じて、仮止めされた第一ループ部１１及び第二フック部１３の係合を解除し、前腕部２に対するセンサ３の位置の調整を行った後、内側ベルト７を挿通方向に強く引っ張って上記空隙１５を無くした状態で、再び、第一ループ部１１及び第二フック部１３を再び係合させる動作を行ってもよい。
【００２７】
そして、外側バンド８の先端をバックル５に対する挿通方向から反転させ、外側バンド８を折返す。そして、折返し方向に強く引っ張りながら、外側バンド８を内側バンド７の外面７ｂ及びベース体６の外面６ｃに沿って巻付ける（図４（ｄ）矢印参照）。これにより、外側バンド８によって前腕部２にバンド１を強く巻付けることができる。その後、外側バンド８の外面８ａの先端近傍に形成された第一ループ部１１を内側バンド７の外面７ｂに形成された第一フック部１０に係合させる（図４（ｅ）参照）。これにより、前腕部２に対するバンド１の取付作業（センサ３の装着作業）が完了する。
【００２８】
ここで、本実施形態のバンド１は、上述した「遊び」に相当する非係合部１４を備えるため、これによって形成される空隙１５により、前腕部２等に対する締め付けの強弱を取付作業が完了した後であっても再調整することができる。この場合、バックル５に取付けられた取外用タグ９を把持し、所望の方向に操作することにより、前腕部２に対する締め付けの強弱の再調整が図られる。
【００２９】
本実施形態のバンド１によれば、始めに、第一ループ部１１及び第二フック部１３の係合による仮止めを行うことができ、当該仮止めをした状態でセンサ３の位置の調整などを行うことができる。そのため、上肢切断者のような片手のみで本実施形態のバンド１を取付ける場合でも、上記動作を容易に行うことができる。加えて、仮止めを行った後に、バックル５を介して折返された外側バンド８によって、内側バンド７及びベース体６の上から前腕部２の周囲を強く締付けながら外側バンド８を巻付け、第一フック部１０及び第二ループ部１２の係合を行うことができる。そのため、第一ループ部１０及び第二フック部１３による係合と合わせ、二箇所で係合を行うことができるため、前腕部２にバンド１をより確実に取付けることができる。その結果、使用時にセンサ３の位置がずれる等の不具合を生じることがない。
【００３０】
次に、本実施形態のバンド１の前腕部２からの取外し作業、換言すれば、センサ３の前腕部２からの取外し作業の具体例について、主に図５に基づいて説明する。始めに、バンド１が前腕部２に取付けられた状態（図４（ｅ）若しくは図５（ａ）参照）から、外側バンド８の外面８ａの第二ループ部１２及び内側バンド７の外面７ｂの第一フック部１０の係合を解除し（図５（ａ）における矢印参照）、その後、外側バンド８の先端を把持して、前腕部２の周囲に巻付けられていた外側バンドを紙面時計回り方向に解き（図５（ｂ）における矢印参照）、外側バンド８の先端がバックル５の挿通方向側（図５（ｂ）におけるバックル５の紙面右側）になるように位置させる。
【００３１】
さらに、係る状態で内側バンド７の内面７ａに形成された第一ループ部１１及び外側バンド８の外面８ａ（またはベース体６の外面６ｃ）に形成された第二フック部１３との係合を解除する（図５（ｃ）における矢印参照）。これにより、バンド１における二組の係合状態の全てが解除される。
【００３２】
そして、バックル５に設けられた角片状の取出用タグ９を指Ｆで把持し（図５（ｄ）参照）、係る把持状態を維持しながら、前腕部２を当該取出用タグ９から略水平方向に離間する方向（図５（ｅ）における矢印参照）に移動させる。その結果、バックル５に挿通された内側バンド７及び外側バンド８が当該バックル５から外れることになり、最終的にバンド１の前腕部２からの取外しが完了する（図５（ｆ）参照）。すなわち、二組のループ部及びフック部の係合を解除した後、取出用タグ９を把持して、前腕部２を移動させることにより、バンド１を一気に取外すことができる。係る操作は、片手で行うことができるとともに、取外しに要する時間を短くすることができる。
【００３３】
なお、上記において、取出用タグ９を指Ｆで把持し、前腕部２を当該取出用タグ９から離間する方向に移動させる例を示したが、これに限定されるものではなく、指Ｆで把持した取出用タグ９を前腕部２から離す方向に引っ張るものであっても構わない。
【００３４】
したがって、本実施形態のバンド１によれば、前腕部２に対する取付作業と同様に、取外す作業も片手で簡便に行うことができる。特に、取出用タグ９を把持して前腕部２を離間する方向に移動させることにより、バンド１の取外しに要する時間を短くすることができる。
【００３５】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３６】
例えば、本実施形態のバンド１において、ベース体６を内側バンド７と一体に構成されたベース片６ｅ及び外側バンド８と一体に構成されたベース片６ｆからなるものを示したが、これに限定されるものではなく、内側バンド７、外側バンド８、及びベース体６をそれぞれ別体として構成し、ベース体６の他端６ｂで内側バンド７及び外側バンド８が分岐したものであっても構わない。また、バンド１の構成として、薄片状のセンサプレートをセンサ３として内側バンド７の内面７ａ及びベース体６の内面６ｄの一部に沿って、第一ループ部１１に重ねられるようにして貼着されたものを示したが、これに限定されるものではなく、センサの種類及びセンサの取付位置は特に限定されるものではない。すなわち、前腕部２等の形状変化等のセンサの機能を発揮可能な位置及び種類のものであれば構わない。
【００３７】
加えて、本実施形態のバンド１において、電動義手に使用されるセンサ３を前腕部２に装着する例について説明したが、これに限定されるものではなく、その他の用途に使用するものであっても構わない。つまり、センサ３の装着に限らず、角材等の建築用資材を複数本束ねて固定する場合や、日常品等の物品を梱包する際に使用する場合などに使用するものであってもよい。係る場合、片手であっても日常品等を確実、且つ、安全に結束することができる。
【符号の説明】
【００３８】
１  バンド
２  前腕部
３  センサ
４  開口
５  バックル
６  ベース体
６ａ  ベース体の一端
６ｂ  ベース体の他端
６ｃ  ベース体の外面
６ｄ  ベース体の内面
７  内側バンド
７ａ  内側バンドの内面
７ｄ  内側バンドの外面
８  外側バンド
８ａ  外側バンドの外面
８ｂ  外側バンドの内面
９  取出用タグ
１０  第一フック部
１１  第一ループ部
１２  第二ループ部
１３  第二フック部
【図１】
2014162509.tif 000003
【図２】
2014162509.tif 000004
【図３】
2014162509.tif 000005
【図４】
2014162509.tif 000006
【図５】
2014162509.tif 000007